(57)【特許請求の範囲】
【請求項１】
鉄骨鉄筋コンクリート造柱脚のアンカーボルトを位置決め固定するアンカーボルトフレームにおいて、アンカーボルトの上部ねじ部にガイド板と上部形板を、アンカーボルトの下部ねじ部に定着板と下部形板を、それぞれナットにより固定してアンカーボルトフレームを組立て、アンカーボルトフレームの上に載置される柱脚金物の底板の外周方向突出面が、ガイド板面内に納まるようにガイド板を配置したことを特徴とするアンカーボルトフレーム。
【請求項２】
中心にアンカーボルト穴を設けた円板状のガイド板を用いることを特徴とする請求項１に記載のアンカーボルトフレーム。
【請求項３】
ガイド板に設けたアンカーボルト穴径が、柱脚金物に設けたアンカーボルト穴径より小さいことを特徴とする請求項１又は２に記載のアンカーボルトフレーム。
【発明の詳細な説明】
【０００１】
【産業上の利用分野】
本発明は、鉄骨鉄筋コンクリート造柱脚のアンカーボルトを位置決め固定するために使用されるアンカーボルトフレームに関する。詳しくは、捨てコンクリート上に設けた固定アングルに溶接され、柱主筋の配筋工事前にセットされるアンカーボルトフレームに関する。
【０００２】
【従来の技術】
図３は、鉄骨鉄筋コンクリート造柱脚に使用される従来のアンカーボルトフレームをセットした状態を示す正面図である。図４は、図３の平面図である。図３及び図４において、アンカーボルトフレーム１は、アンカーボルト２と、上部形板３と、定着板４と、下部形板５と、ナット６と、座金７とから構成される。そして、アンカーボルト２の上部ねじ部に上部形板３をナット６と座金７により固定して、アンカーボルト２の下部ねじ部に定着板４とその下に下部形板５をナット６により固定してアンカーボルトフレーム１を組立てる。次に、アンカーボルトフレーム１を、捨てコンクリート８上に設置した複数の鋼材からなる固定アングル９に、アンカーボルト２の位置決めを行った後固定する。その後、柱主筋１０、地中はり主筋１１、フープ筋１２等の配筋工事を行い、上部形板３が基礎コンクリート１３の上面から露出するように基礎コンクリート１３を打設する。基礎コンクリート１３の養生後、上部形板３を取り外し、レベルモルタル１４を設ける。
【０００３】
図５は、鉄骨鉄筋コンクリート造柱脚に使用される鉄骨柱の下端に接合された柱脚金物の一例を示す正面図である。図６は、図５の平面図である。図５及び図６において、１５は鉄骨柱であり、その下端に柱脚金物１６が接合される。柱脚金物１６は、鋳鋼または鍛鋼により一体に形成され、中央に突出部１７と、アンカーボルト穴１８が穿設された台座部１９を有する。このような構成からなる柱脚金物１６のアンカーボルト穴１８に前述のアンカーボルト２を挿通し、柱脚金物１６をレベルモルタル１４上に載置し、位置決め固定する。なお、Ｍは突起などにより形成されており、柱脚金物１６を所定の位置にセットするときの位置決めマークである。
【０００４】
【発明が解決しようとする課題】
アンカーボルトフレームをセットした後、柱主筋の配筋工事を行う場合、図３及び図４に示すように、柱主筋１０を上部形板３の外形（四角形）に沿って配筋する。このとき、鉄骨鉄筋コンクリート造柱脚のコンクリートのかぶり厚を十分にかつ均等に確保するため、柱主筋１０はできる限り上部形板３及び下部形板５に近づけて直立させる必要がある。
【０００５】
しかしながら、柱主筋１０の配筋の事前検討が不十分であれば、図５で示したような柱脚金物１６を設置するとき、図７に示すように柱主筋１０が柱脚金物１６の底板の外周方向突出面２０と干渉するという問題がある。干渉した柱主筋２１を無理やり折り曲げたり、傾斜させるとコンクリートのかぶり厚不足、鉄筋の定着不良などを生じ、鉄骨鉄筋コンクリート造柱脚の構造性能が十分に得られないことになる。
【０００６】
本発明の目的は、柱主筋が柱脚金物と干渉するかしないかの事前検討を十分にできなくても、すなわち鉄骨鉄筋コンクリート造柱脚の施工経験の浅い施工者でも、現場で簡単に、柱脚金物と干渉しないように柱主筋を配筋できる、かつアンカーボルトを所定の位置に簡単に精度良くセットできるアンカーボルトフレームを提供することである。
【０００７】
【課題を解決するための手段】
本発明は、鉄骨鉄筋コンクリート造柱脚のアンカーボルトを位置決め固定するアンカーボルトフレームにおいて、アンカーボルトの上部ねじ部にガイド板と上部形板を、アンカーボルトの下部ねじ部に定着板と下部形板を、それぞれナットにより固定してアンカーボルトフレームを組立て、アンカーボルトフレームの上に載置される柱脚金物の底板の外周方向突出面が、ガイド板面内に納まるようにガイド板を配置するという技術的手段を採用した。
【０００８】
また、本発明のアンカーボルトフレームにおいて、ガイド板は中心にアンカーボルト穴を設けた円板状であり、ガイド板に設けたアンカーボルト穴径が、柱脚金物に設けたアンカーボルト穴径より小さいことが望ましい。
【０００９】
【作用】
アンカーボルトフレームの上に載置される柱脚金物の底板の外周方向突出面と対応する位置にガイド板を設けて、上部形板、下部形板及びガイド板に沿って柱主筋を配筋することにより、基礎コンクリートの養生後、柱脚金物を設置するとき、柱脚金物の底板の外周方向突出面が柱主筋と干渉しない。また、ガイド板を円板状にすることにより、設置方向に制約がなくなり簡単にセットできる。また、ガイド板に設けたアンカーボルト穴径を、柱脚金物に設けたアンカーボルト穴径より小さくすることにより遊びが小さくなるので、アンカーボルトを所定の位置に簡単に精度良くセットできる。
【００１０】
【実施例】
図１は、鉄骨鉄筋コンクリート造柱脚に使用される本発明のアンカーボルトフレームをセットした状態を示す正面図である。図２は、図１の平面図である。図１及び図２において、アンカーボルトフレーム１は、上部と下部に雄ねじ部を有するアンカーボルト２と、円板状の鋼材からなり中心にアンカーボルト穴を設けたガイド板２３と、中央に穴２４を有する四角枠状の鋼材からなりコーナー近傍にアンカーボルト穴を設けた上部形板３と、角片状の鋼材からなり中心にアンカーボルト穴を設けた定着板４と、上部形板３と同じ構成の下部形板５と、ナット６と、座金７とから構成される。
【００１１】
上記構成において、アンカーボルト２の上部ねじ部には、ガイド板２３とその下に上部形板３を配置し、ナット６と座金７によりガイド板２３と上部形板３を固定する。またアンカーボルト２の下部ねじ部には、定着板４とその下に下部形板５を配置し、ナット６により定着板４と下部形板５を固定する。このようにしてアンカーボルトフレーム１を組立てる。ガイド板２３は、柱脚金物の底板の外周方向突出面がガイド板２３の面からはみ出ないように適宜大きさを選択し、柱脚金物の底板の外周方向突出面と対応する位置に配置する。
【００１２】
次に、アンカーボルトフレーム１を捨てコンクリート８に設置した固定アングル９に、アンカーボルト２の位置決めを行った後、溶接固定する。その後、柱主筋１０、地中はり主筋１１、フープ筋１２等の配筋工事を行う。柱主筋１０は、ガイド板２３と上部形板３を含めた外形輪郭に沿うように、できる限りガイド板２３と上部形板３と下部形板５に近づけて直立に配筋する。
【００１３】
配筋後、ガイド板２３と上部形板３が基礎コンクリート１３の上面から露出するように基礎コンクリート１３を打設する。基礎コンクリート１３の養生後、ガイド板２３と上部形板３を取り外し、レベルモルタル１４を設ける。
【００１４】
そして、図５及び図６に示した鉄骨柱の下端に接合された、底板に外周方向突出面を有する柱脚金物をレベルモルタル１４上に載置し、位置決め後、アンカーボルト２を締結固定する。
【００１５】
ガイド板２３の作用により、柱脚金物の出っ張り面は柱主筋と干渉せず簡単に所定の位置に設置できる。本実施例においては、底板に外周方向突出面を有する柱脚金物が鋳鋼または鍛鋼により一体に形成された例を述べたが、柱脚金物の構成はこれに制約されるものでなく、柱脚金物が例えば鋼材で形成したベースプレートであっても、本発明が特徴とするガイド板の作用は同じである。
【００１６】
【発明の効果】
本発明は以上説明したような構成及び作用であるから、下記のような効果が期待できる。
（１）鉄骨鉄筋コンクリート造柱脚の施工経験の浅い施工者でも、現場で簡単に、柱脚金物と干渉しないように柱主筋を配筋できる。
（２）柱主筋の配筋前にアンカーボルトフレームのセットを行うので、柱主筋を折り曲げたり傾斜させたりすることなく、アンカーボルトを所定の位置に容易にかつ正確にセットできる。
（３）アンカーボルトの芯出し精度が良くなる。
【図面の簡単な説明】
【図１】本発明のアンカーボルトフレームをセットした状態を示す正面図である。
【図２】図１の平面図である。
【図３】従来のアンカーボルトフレームをセットした状態を示す正面図である。
【図４】図３の平面図である。
【図５】鉄骨柱の下端に接合された柱脚金物の一例を示す正面図である。
【図６】図５の平面図である。
【図７】柱主筋が柱脚金物と干渉した状態を示す平面図である。
【符号の説明】
１  アンカーボルトフレーム、  ２  アンカーボルト、  ３  上部形板、
４  定着板、  ５  下部形板、  ６  ナット、  ７  座金、
８  捨てコンクリート、  ９  固定アングル、  １０  柱主筋、
１１  地中はり主筋、  １２  フープ筋、  １３  基礎コンクリート、
１４  レベルモルタル、  １５  鉄骨柱、  １６  柱脚金物、
１７  突出部、  １８  アンカーボルト穴、  １９  台座部、
２０  外周方向突出面、  ２１  干渉した柱主筋、  ２３  ガイド板、
２４  穴
【図１】
0003613404.tif 000002
【図２】
0003613404.tif 000003
【図３】
0003613404.tif 000004
【図４】
0003613404.tif 000005
【図５】
0003613404.tif 000006
【図６】
0003613404.tif 000007
【図７】
0003613404.tif 000008